(57)【要約】  実質的な吸入無しにて、ユーザの嚥下を人工的に刺激する方法及びシステムが提供される。該方法及びシステムは、受動的なユーザの分泌維持プログラム、能動的な食物供給プログラム、固有受容性食物供給プログラム及びその他のものを含む色々な特殊なプログラムに従って、ユーザの嚥下を人工的に刺激する工程を含む。【選択図】図１
2010512843.tif 000002
【特許請求の範囲】
【請求項１】
顕著な吸入無しにて、ユーザの嚥下を刺激する方法において、
完全な飲み込み行為の構成要素を制御するためユーザによって支持されて、コントローラと、信号発生器と、少なくとも１つの電極を含む電極アレーとを有し、前記信号発生器は前記電極アレーと連通している携帯型システムを提供する工程と、
前記電極アレーを嚥下筋組織と刺激連通する状態に皮下的に配置する工程と、
ユーザの分泌物の嚥下を、前記ユーザの分泌物を顕著に吸入することなく、自動的に、定期的に刺激し得るようにされた受動的なユーザ分泌維持プログラムに従って前記信号発生器及び電極アレーを介してユーザの嚥下を人工的に刺激する工程と、を備える、ユーザの嚥下を刺激する方法。
【請求項２】
請求項１に記載の方法において、
実質的な吸入無しにて食物及び飲物の少なくとも一方の嚥下を刺激し得るようにした能動的な食物供給プログラムに従ってユーザの嚥下を刺激する工程を更に備える、方法。
【請求項３】
請求項２に記載の方法において、
前記システムは、ユーザから食物供給の要求プロンプト（刺激）を受け取り得るようにしたユーザ入力部を更に備え、
前記ユーザ入力部にて食物供給の要求プロンプトを受け取る工程と、
前記食物供給要求の情報に応答して能動的な食物供給プログラムに従って前記信号発生器を作動させる工程とを更に備える、方法。
【請求項４】
請求項２に記載の方法において、
ユーザが前記ユーザ入力部により選んだ時間、前記能動的な食物プログラムに従ってユーザの嚥下の刺激を続ける工程を更に備える、方法。
【請求項５】
請求項４に記載の方法において、
所定の時間の後、前記ユーザが選んだ連続的な嚥下刺激を自動的に中断する工程を更に備える、方法。
【請求項６】
請求項２に記載の方法において、
前記ユーザ入力部から受け取った情報に基づいて能動的な食物供給プログラムの刺激強さを前記ユーザが望むユーザの刺激強さに変化させる工程を更に備える、方法。
【請求項７】
請求項１に記載の方法において、
前記ユーザが実質的に傾斜した位置にあることを自動的に感知する工程を更に備え、前記携帯型システムは、実質的に傾斜した位置にある前記ユーザに応答して受動的なユーザの分泌維持プログラムに従って自動的に作動する、方法。
【請求項８】
実質的な吸入無しにて、ユーザの嚥下を刺激する方法において、
嚥下構成要素を制御するためユーザによって支持されて、コントローラと、少なくとも１つの刺激電極と、信号発生器とを含む携帯型システムを提供する工程と、
前記少なくとも１つの刺激電極を嚥下筋組織と刺激連通する状態に皮下的に配置する工程と、
ユーザが消費すべきボーラス（食塊）の特徴に基づいて、前記コントローラにより維持された複数の特殊なプログラムからユーザが望ましい嚥下プログラムを選ぶ工程と、
前記選んだ嚥下プログラムに従って前記システムを作動させる工程と、を備える、ユーザの嚥下を刺激する方法。
【請求項９】
請求項８に記載の方法において、
前記ボーラスの特徴は、ボーラスの容積及びボーラスのコンシステンシーの少なくとも一方を含む、方法。
【請求項１０】
請求項８に記載の方法において、
前記ボーラスの特徴は、ボーラスが液体状又は固体状であるかを含む、方法。
【請求項１１】
請求項８に記載の方法において、
前記特殊な嚥下プログラムの１つ以上は、所定の連続的で且つ重なり合うパルス列のグループを含む、方法。
【請求項１２】
請求項１１に記載の方法において、
所定の連続的で且つ重なり合うパルス列のグループの１つ以上は、前記少なくとも１つのパルス列の開始時に信号ランプを含む、方法。
【請求項１３】
請求項１１に記載の方法において、
所定の連続的で且つ重なり合うパルス列のグループの少なくとも１つは、少なくとも１つの非対称の二相波形を含む、方法。
【請求項１４】
実質的な吸込み無しにて、ユーザの嚥下を刺激する方法において、
少なくとも１つの嚥下構成要素を制御するためユーザによって支持されて、コントローラと、電極アレーと、前記電極アレーと連通した信号発生器とを含み、前記信号発生器は前記電極アレーと刺激連通する状態にある、携帯型システムを提供する工程と、
前記電極アレーの第一の部分を嚥下筋組織と刺激連通する状態に皮下的に配置する工程と、
前記電極アレーの第二の部分を前記ユーザの口及び喉の少なくとも一方の感覚粘膜と刺激連通する状態に皮下的に配置する工程と、
前記感覚粘膜を前記電極アレーにより刺激して、前記ユーザに対し触覚的、感覚的フィードバックを提供する工程と、
前記嚥下筋組織を前記電極アレーにより刺激して実質的な吸入無しにて、ユーザが嚥下するようにする工程と、を備える、ユーザの嚥下を刺激する方法。
【請求項１５】
請求項１４に記載の方法において、
前記電極アレーは、第一の電極及び第二の電極を含み、前記第一の電極は、嚥下筋組織と刺激連通する状態に配置され、前記第二の電極は、前記ユーザの口及び喉の少なくとも一方の感覚粘膜と刺激連通する状態に配置される、方法。
【請求項１６】
実質的な吸入無しにて、ユーザの嚥下を刺激する方法において、
少なくとも１つの嚥下構成要素を制御するためユーザによって支持されて、コントローラと、信号発生器と、少なくとも１つの電極を有する電極アレーとを含む携帯型システムを提供する工程と、
前記電極アレーを嚥下筋組織と刺激連通する状態に皮下的に配置する工程と、
前記嚥下筋組織をユーザが嚥下する前に、しきい値以下の、基準値信号にて前記電極アレーを介して刺激する工程と、
前記嚥下筋組織を前記しきい値以下の、基準値信号にて刺激した後、刺激信号にて前記電極アレーを介して刺激し、前記刺激信号によってユーザの嚥下構成要素が人工的に刺激されるようにする工程と、を備える、ユーザの嚥下を刺激する方法。
【請求項１７】
請求項１６に記載の方法において、
前記しきい値以下、基準値信号及び刺激信号は、前記基準値信号の開始と前記刺激信号の開始との間の所定の時間遅れに従って調和されて、ユーザの嚥下の要素を人工的に刺激することにより自律的な嚥下タイミングを設定する努力において、ユーザを助ける、方法。
【請求項１８】
請求項１６に記載の方法において、
自律的なユーザの刺激を介して前記部分的に起動された嚥下筋組織の完全な起動と、
前記刺激信号を介して前記部分的に起動された嚥下筋肉組織の完全な起動との少なくとも一方の前に、前記しきい値以下、基準値信号は、前記ユーザの嚥下筋組織を部分的な起動状態に置く、方法。
【請求項１９】
実質的な吸入無しにて、ユーザの嚥下を助けるシステムにおいて、
嚥下筋組織と刺激連通する状態に皮下的に配置し得るようにした電極アレーと、
嚥下情報を提供すべく皮下的に配置し得るようにしたセンサアレーと、
前記電極アレーと電子的に接続されて該電極アレーに対し刺激信号を提供する信号発生器と、
前記嚥下情報を受け得るよう前記センサアレーと電子的に接続されると共に、前記信号発生器と電子的に接続され、前記信号発生器の作動を促がして、前記刺激信号を送出させ、嚥下構成要素が行なわれるようにするコントローラとを備え、
前記コントローラは、前記受け取った嚥下情報に基づいて該信号発生器により送出された刺激信号を能動的に変更し得るようにされる、ユーザの嚥下を助けるシステム。
【請求項２０】
請求項１９に記載のシステムにおいて、
前記嚥下情報は、舌骨・喉頭器官系位置情報、ユーザの全身体位置情報、上部食道開放力情報、上部食道変位情報、喉頭内圧力情報、喉頭位置情報、システム位置情報、ユーザの顎位置情報、ユーザの頭部位置情報、ユーザの胴位置情報、嚥下筋肉の長さ情報、及びそれらの組み合わせから成るグループから選ばれる、システム。
【請求項２１】
請求項１９に記載のシステムにおいて、
前記センサアレーは、加速度計、力計、歪み計、ＥＭＧセンサ、変位センサ、圧電性超音波変換器、圧力センサ及びそれらの組み合わせの少なくとも１つを含む、システム。
【発明の詳細な説明】
【技術分野】
【０００１】
本発明は、嚥下を助けるシステム及び方法、より特定的には、嚥下障害の影響を少なくするため嚥下筋組織を刺激するシステム及び方法に関する。
【背景技術】
【０００２】
飲み込み不能な症状は、全体として、「嚥下障害」と称されている。嚥下障害は、一般に、発作、神経変性の疾患、脳腫瘍、呼吸の乱れ、及びその他のような疾病と関係している。幾つかの形態において、嚥下障害の結果、飲み込む行為である「嚥下」する間、吸入することになる。嚥下する間の吸入は、吸入性肺炎の危険性を増大させるため、非常な関心事である。特に、吸入性肺炎は、発症後最初の１年間にて、死亡率が約２０％、また、その後、死亡率が毎年１０％から１５％となるとの証拠がある。嚥下障害の従来からの治療法は、経鼻胃チューブを通して一時的に栄養補給し又は慢性的な場合、胃へのストーマを通して栄養補給する方法を採用している。
【０００３】
生きた被験者の体内の電気的に励起可能な組織を電気的に刺激する技術は、刺激電極及び信号発生器を使用して電荷を制御され又は所定の態様にて供給するものが開発されている。国際出願国際公開ＰＣＴ  Ａｐｐ．Ｐｕｂ．ＷＯ２００４／０２８４３３号明細書（「ルドロー（Ｌｕｄｌｏｗ）」）（２００４年４月８日付けで公開された、「上気道及び飲み込み筋肉グループの筋肉内刺激方法及び装置（Ｍｅｔｈｏｄｓ  ａｎｄ  Ｄｅｖｉｃｅｓ  ｆｏｒ  Ｉｎｔｒａｍｕｓｃｕｌａｒ  Ｓｔｉｍｕｌａｔｉｏｎ  ｏｆ  Ｕｐｐｅｒ  Ａｉｒｗａｙｓ  ａｎｄ  Ｓｗａｌｌｏｗｉｎｇ  Ｍｕｓｃｌｅ  Ｇｒｏｕｐｓ）」という名称）には、筋肉が飲み込む効果として反応するようにする目的のため、人間被験者の首領域内の筋肉を刺激することが記載されている。より特定的には、ルドローの特許には、上気道筋肉組織の２つ以上の筋肉内に電極を植え込み且つ、調和された制御信号を提供する信号発生器と接続することにより被験者の体内にて飲み込みを誘発させることが記載されている。経皮的、非植込み型のシステムを使用して人工的に刺激するその他の技術及び方法は、全てフリード（Ｆｒｅｅｄ）その他の者に対する米国特許第５，７２５，５６４号明細書、米国特許第５，８９１，１８５号明細書、米国特許第５，９８７，３５９号明細書、米国特許第６，１０４，９５８号明細書及び米国特許第６，１９８，９７０号明細書に開示されている。
【先行技術文献】
【特許文献】
【０００４】
【特許文献１】国際出願国際公開ＰＣＴ  Ａｐｐ．Ｐｕｂ．ＷＯ２００４／０２８４３３号明細書
【特許文献２】米国特許第５，７２５，５６４号明細書
【特許文献３】米国特許第５，８９１，１８５号明細書
【特許文献４】米国特許第５，９８７，３５９号明細書
【特許文献５】米国特許第６，１０４，９５８号明細書
【特許文献６】米国特許第６，１９８，９７０号明細書
【発明の概要】
【課題を解決するための手段】
【０００５】
幾つかの側面は、受動的なユーザの分泌維持プログラムを使用することを含んで、実質的に吸入することなく、ユーザの嚥下を刺激する方法に関する。この方法は、完全な飲み込み行為の構成要素を制御するためユーザによって支持されて、コントローラと、信号発生器と、少なくとも１つの電極を含む電極アレーとを有する携帯型システムを提供することを含む。信号発生器は、電極アレーと連通している。電極アレーは、嚥下筋組織と刺激連通する状態に皮下的に配置されている。ユーザの嚥下は、ユーザの分泌物を実質的に吸入することなく、ユーザの分泌物の嚥下を自動的に、定期的に刺激し得るようにされた受動的なユーザ分泌物維持プログラムに従って信号発生器及び電極アレーを介して人工的に刺激される。
【０００６】
その他の側面は、複数の特殊な嚥下プログラムを使用することを含んで、実質的に吸入することなく、ユーザの嚥下を刺激する方法に関する。この方法は、嚥下構成要素を制御するためユーザによって支持されて、コントローラと、少なくとも１つの刺激電極と、信号発生器とを含む携帯型システムを提供することを含む。少なくとも１つの刺激電極は、嚥下筋組織と刺激連通する状態に皮下的に配置されている。望ましい嚥下プログラムは、ユーザが消費すべきボーラスの特徴に基づいてコントローラにより維持された複数の特殊なプログラムから選ばれる。このシステムは、選んだ嚥下プログラムに従って作動する。
【０００７】
更にその他の側面は、実質的に吸入することなく、ユーザの嚥下を刺激する方法に関する。この方法は、少なくとも１つの嚥下構成要素を制御するためユーザによって支持されて、コントローラと、電極アレーと、電極アレーと連通した信号発生器とを含む携帯型システムを提供することを含む。電極アレーの第一の部分は、嚥下筋組織と刺激連通する状態に皮下的に配置される一方、電極アレーの第二の部分は、ユーザの口及び喉の少なくとも一方の感覚粘膜と刺激連通する状態に皮下的に配置される。感覚粘膜は、電極アレーにより刺激されて、ユーザに対し触覚的、感覚的フィードバックを提供する。嚥下筋組織は、電極アレーにより刺激されて実質的に吸入することなく、ユーザが嚥下するようにする。
【０００８】
更なるその他の側面は、実質的に吸入することなく、ユーザの嚥下を刺激する方法に関する。該方法は、少なくとも１つの嚥下構成要素を制御するためユーザによって支持されて、コントローラと、信号発生器と、少なくとも１つの電極を有する電極アレーとを含む携帯型システムを提供することを含む。電極アレーは、嚥下筋組織と刺激連通する状態に皮下的に配置される。嚥下筋組織は、ユーザが嚥下する前に、しきい値以下の、基準値信号にて電極アレーを介して刺激される。嚥下筋組織は、しきい値以下の、基準値信号にて刺激した後、刺激信号にて電極アレーを介して刺激される。特に、刺激信号によってユーザの嚥下構成要素は人工的に刺激される。
【０００９】
更なるその他の側面は、実質的に吸入することなく、ユーザの嚥下を助けるシステムに関する。該システムは、嚥下筋組織と刺激連通する状態に皮下的に配置し得るようにした電極アレーを含む。該システムは、また、嚥下情報を提供し得るよう皮下的に配置し得るようにしたセンサアレーも含む。信号発生器は、電極アレーと電気的に接続されて電極アレーとに対し刺激信号を提供する。コントローラも提供され、このコントローラは、センサアレー及び信号発生器と電気的に接続され、コントローラは、嚥下情報を受け取り且つ信号発生器の作動を促がして１つの嚥下動作が生じるようにする。特に、コントローラは、受け取った嚥下情報に基づいて信号発生器により送出された刺激信号を能動的に変更し得るようにされている。
【図面の簡単な説明】
【００１０】
【図１】幾つかの実施の形態に従って嚥下を助けるシステムの概略図である。
【図２】幾つかの実施の形態に従った筋外膜電極を示す。
【図３】幾つかの実施の形態に従った神経カフ電極を示す。
【図４】幾つかの実施の形態に従った自蔵電極を含む図１のシステムの概略図である。
【図５Ａ】嚥下と関係した人体要素の概略図である。
【図５Ｂ】舌骨・喉頭器官系及び嚥下と関係した関係する身体要素の概略図である。
【図６】幾つかの実施の形態に従った嚥下を助ける植込み型システムの概略図である。
【図７】幾つかの実施の形態に従った幾つかの筋肉起動パターンを示す。
【図８】幾つかの実施の形態に従った、複数の神経を介して嚥下筋肉組織と刺激連通する状態にある図１のシステムの電極アレーを示す。
【発明を実施するための形態】
【００１１】
色々な実施の形態を一層良く理解し得るようにするため、以下の説明は幾つかの表題の下に記述する。しかし、かかる表題は限定的であることを意図するものではなく、その説明は、全体として、また、適当な場合、相互に関係する特徴を有する色々な実施の形態の全体的な説明として読まれるべきであることを理解すべきである。このことに留意して、以下の全体的な事項について記述する。すなわち、嚥下支援システムの概説；嚥下の概説、神経を介しての人工的な嚥下筋の刺激；筋肉の起動パターン及び関係した刺激パターン；単一の筋肉の刺激及び選択筋肉グループの刺激；刺激プログラムの開始及び選択；及びシステムフィードバックである。
嚥下支援システムの概説
図１は、嚥下支援システム２０の概略図である。システム２０は、コントローラ２２と、信号発生器２４と、少なくとも１つの電極を含む電極アレー２６と、少なくとも１つのセンサを含むセンサアレー２８と、電源３０とを含む。幾つかの実施の形態において、システム２０の色々な構成要素は、植込み型ハウジング３２（図６）内に維持され、該植込み型ハウジングは、システム２０の起動のため選択的に含めた外部スイッチ又はセンサ（図６）を有して、選択随意的にペースメーカ「キャン」と実質的に同様である。破線にて全体的に示したように、システム２０の色々な構成要素は、互いに連通しており、かかる連通は、多岐にわたる機構を介して実現される。例えば、構成要素は、選択的に、直接、電気的連通、無線周波数連通、磁気連通、光連通、音波連通、それらの組み合わせ等である。
【００１２】
システム２０は、全体として、嚥下筋組織を制御し得るようにされている。幾つかの実施の形態において、システム２０は、携帯型であり、また、例えば、長時間、慢性的な嚥下障害を患うユーザが支持し得るようにされている。コントローラ２２、信号発生器２４、電極アレー２６、センサアレー２８及び（又は）電極３０又はその一部分は、別個の異なる構成要素とし、部分的に一体化した構成要素として又は所望に応じて完全に一体化した構成要素として提供される。例えば、幾つかの実施の形態は、処理、信号の発生、外部との連通及び（又は）感知能力を有する１つ以上の一体化した電極を含み、これらの機能の１つ以上は、一体化した電極内に完全に又は部分的に一体化されている。
【００１３】
幾つかの実施の形態において、コントローラ２２は、マイクロプロセッサと、ハードワイヤー回路と、又はシステム２０の色々な側面を制御するその他の適宜な手段とを含む。特に、コントローラ２２は、信号発生器２４を作動させ且つ（又は）センサアレー２８のような色々な源から情報を受け取る。幾つかの実施の形態において、コントローラ２２は、１つ又は複数の刺激プログラムを保存し且つ、刺激プログラムに従って信号発生器２４を作動させ得るようにされている。刺激プログラムは、例えば、コントローラ２２にハードワイヤー接続された所定の設定したプログラムを含むが、例えば、センサアレー２８からの入力のような色々な入力に従って人工的な嚥下刺激を順応させるソフトウェアのような順応性、動的プログラムを含むようにしてもよい。
【００１４】
幾つかの実施の形態において、コントローラ２２は、色々なプログラムの間にて選択し且つ（又は）ユーザから受け取った情報、センサアレー２８から受け取った情報、信号発生器２４から受け取った情報、電極アレー２６から受け取った情報、遠隔プロセッサ（図示せず）から受け取った情報、及び（又は）例えば技師又は外科医から受け取った情報のような、色々な入力に従って刺激プログラムを能動的に変更することになる。
【００１５】
信号発生器２４は、電極アレー２６と連通しており、また、電極アレー２６に対し１つ又はより多くの刺激信号を提供し得るようにされている。幾つかの実施の形態において、刺激信号は、電流パルスのような刺激エネルギを電極アレー２６に送信し、嚥下筋組織を起動させる。以下により詳細に説明するように、信号発生器２４は、選択的に、回路及び（又は）その他の植込み型構成要素を含み、電気パルスを電気導線を介して電極アレー２６に出力する。例えば、刺激信号は、選択随意的に、電気アレー２６に、また、最終的に、嚥下筋組織に送信される一連の重複する電流パルス列である。また、信号発生器２４は、選択随意的に、例えば、無線周波数電力送信及び（又は）磁気電力送信のような電気接続部以外のその他の機構を介して電力を電極アレー２６に通信することも考えられる。
【００１６】
更に、又はこれと代替的に、信号発生器２４からの信号は、その他の場合、例えば、刺激プログラム情報、患者の情報、その他の型式の情報を通信するといったような、性質上、送信可能なものとすることができる。幾つかの実施の形態において、信号発生器２４は、受信機として、すなわち、電気導線又はその他の手段を介して別個の信号発生器に物理的に「ワイヤー接続されて」いない電極として機能するような自蔵電極と連通する無線周波数送信機を含む。特に、自蔵電極は、嚥下筋組織への刺激エネルギの送出タイミングを設定する電源及び（又は）制御信号として無線周波数送信を受信する。幾つかの実施の形態において、自蔵電極は、刺激信号を特定の自蔵電極に提供するため関係した信号発生器を含むことも認識すべきである。参考として、自蔵電極の実施の形態、及び刺激信号パターン及び刺激プログラムの色々な例は、以下に、人工的に嚥下を刺激する方法に関連して説明する。
【００１７】
上記にて言及したように、別段の記述がない限り、コントローラ２２及び信号発生器２４（システム２０のその他の構成要素）は、所望に応じて、別個の異なる構成要素、部分的に一体化した構成要素又は完全に一体化した構成要素として構成される。一例として、組み合わせたコントローラ２２及び信号発生器２４は、電流出力又はプロセッサからのその他の適正な出力の形態にて刺激信号を電極アレー２６に提供する１つ又は複数の共用のプロセッサを含む。このため、例えば、「信号発生器２４及びコントローラ２２は別個の異なる構成要素である」、「信号発生器２４は、コントローラ２２から分離している」、又はこれと代替的に、「信号発生器２４及びコントローラ２２が完全に一体化されている」のような、制限的な文章が存在しないとき、コントローラ２２及び信号発生器２４はこのように限定されないものと考えられる。
【００１８】
電極アレー２６は、第一の電極２６ａ、第二の電極２６ｂ及び第三の電極２６ｃのような、１つ以上の電極を含む。電極アレー２６は、例えば、皮下的、筋組織内の配置、筋肉表面上での皮下的な外部配置、及び（又は）皮下的植え込みを介して嚥下筋組織と刺激連通する状態とし且つ、嚥下筋組織を制御する１つ以上の神経と関係するようにされている。これと代替的に、例えば、電極アレー２６の１つ以上の電極は、経皮的に取り付け又は皮膚に対し外側に取り付け得るようにされている。
【００１９】
幾つかの実施の形態において、電極アレー２６は、次の型式及び（又は）種類の１つ以上の電極を含む。すなわち、筋外膜電極、ピーターソン（Ｐｅｔｅｒｓｏｎ）電極のような筋肉内電極、神経カフ電極、自蔵電極、単極電極、双極電極、多接点電極、及び（又は）その他の既知の型式／種類の電極、及びこれらの組み合わせである。以下により詳細に説明するように、幾つかの実施の形態において、電極アレー２６は、次のようなものに記載されたもののような、嚥下刺激の適用例にて使用するのに適した１つ以上の関係した可撓性、伸長可能な電気リードを含む。すなわち、同時出願係属中の米国特許出願第１１／４１３，３１６号明細書（「身体の動きを容易にすべく改良された可撓性及び伸長性を有する植込み型医療リード及びリード組立体（Ｉｍｐｌａｎｔａｂｌｅ  Ｍｅｄｉｃａｌ  Ｌｅａｄｓ  Ａｎｄ  Ｌｅａｄ  Ａｓｓｅｍｂｌｉｅｓ  Ｗｉｔｈ  Ｉｍｐｒｏｖｅｄ  Ｆｌｅｘｉｂｉｌｉｔｙ  Ａｎｄ  Ｅｘｔｅｎｓｉｂｉｌｉｔｙ  Ｔｏ  Ｆａｃｉｌｉｔａｔｅ  Ｂｏｄｙ  Ｍｏｖｅｍｅｎｔｓ）」という名称）、同時出願係属中の米国特許出願第１１／４１３，４３５号明細書（「改良された可撓性及び伸長性を有する植込み型医療リード組立体を特別形成するための方法（Ｍｅｔｈｏｄｓ  Ｆｏｒ  Ｃｕｓｔｏｍｉｚｉｎｇ  Ｉｍｐｌａｎｔａｂｌｅ  Ｍｅｄｉｃａｌ  Ｌｅａｄ  Ａｓｓｅｍｂｌｉｅｓ  Ｗｉｔｈ  Ｉｍｐｒｏｖｅｄ  Ｆｌｅｘｉｂｉｌｉｔｙ  Ａｎｄ  Ｅｘｔｅｎｓｉｂｉｌｉｔｙ）」という名称）、同時出願係属中の米国特許出願第１１／４１３，４３７号明細書（「改良された可撓性、伸長性、及び枝分かれた構造体にて位置決め可能性を有する植込み型医療組立体（Ｉｍｐｌａｎｔａｂｌｅ  Ｍｅｄｉｃａｌ  Ａｓｓｅｍｂｌｉｅｓ  Ｗｉｔｈ  Ｉｍｐｒｏｖｅｄ  Ｆｌｅｘｉｂｉｌｉｔｙ，Ｅｘｔｅｎｓｉｂｉｌｉｔｙ  Ａｎｄ  Ｐｏｓｉｔｉｏｎａｂｉｌｉｔｙ  Ｗｉｔｈ  Ｂｒａｎｃｈｅｄ  Ｓｔｒｕｃｔｕｒｅｓ）」という名称）、同時出願係属中の米国特許出願第１１／４１３，４４０号明細書（「改良された可撓性及び伸長性及び実質的に二元的性質を有する植込み型医療リード及びリード組立体（Ｉｍｐｌａｎｔａｂｌｅ  Ｍｅｄｉｃａｌ  Ｌｅａｄｓ  Ａｎｄ  Ｌｅａｄ  Ａｓｓｅｍｂｌｉｅｓ  Ｗｉｔｈ  Ｉｍｐｒｏｖｅｄ  Ｆｌｅｘｉｂｉｌｉｔｙ  Ａｎｄ  Ｅｘｔｅｎｓｉｂｉｌｉｔｙ  Ａｎｄ  Ｈａｖｉｎｇ  Ａ  Ｓｕｂｓｔａｎｔｉａｌｌｙ  Ｔｗｏ−Ｄｉｍｅｎｓｉｏｎａｌ  Ｎａｔｕｒｅ）」という名称）であり、これは、全て、２００６年４月２８日付けで出願され、その出願の各々の内容は、参考として引用し本明細書に含められている（本明細書にて、集合的に「伸長可能なリードの取り付け（ｔｈｅ  Ｅｘｔｅｎｓｉｂｌｅ  Ｌｅａｄ  Ａｐｐｌｉｃａｔｉｏｎｓ）」として記載されている）。
【００２０】
全体的な参照の目的のため、図３には、幾つかの実施の形態に従って電極アレー２６（図１）として又はその一部として有用な筋外膜電極３３が示されている。筋外膜電極３３は、絶縁したハウジング３４と、絶縁したハウジング３４により維持された１つ以上の接点３６とを含む。電気リード３８は、筋外膜電極３３と接続されて所望に応じて個別的に又はグループとして接点３６の各々に対する電気導管を提供する。幾つかの実施の形態において、筋外膜電極３３は、単一の接点３６を含み、また、単極であり、全体的な寸法を小さくし且つ（又は）全体的な構造的可撓性を増大させる。
【００２１】
筋外膜電極３３は、例えば、縫合又はその他の適宜な手段により筋肉表面に固定し得るようにされている。幾つかの実施の形態において、筋外膜電極３３は、標的筋肉の後方に配置された組織内に筋肉内電極が突っ込むといったような、筋肉内電極に関連した問題点を避けるのを助ける。例えば、筋外膜電極３３は、筋肉内電極よりも組織の反応が少なく、また、幾つかの実施の形態に従って相対的に薄い嚥下筋肉と見なすことのできる用途に十分適している。筋外膜電極の例は、テスターマン（Ｔｅｓｔｅｒｍａｎ）その他の者に対し１９９８年１２月１日付けで発行され、参考としてその内容を引用し本明細書に含めた、「植込み型眼瞼電極及びその植え込み方法（Ｉｍｐｌａｎｔａｂｌｅ  Ｅｙｅｌｉｄ  Ｅｌｅｃｔｒｏｄｅ  ａｎｄ  Ｍｅｔｈｏｄ  ｏｆ  Ｉｍｐｌａｎｔｉｎｇ  ｔｈｅ  Ｓａｍｅ）」という名称の米国特許第５，８４３，１４７号明細書に見ることができる。図３は、電極アレー２６（図１）として又はその一部として有用な神経カフ電極４０の簡略図である。神経カフ電極４０は、管状の絶縁ハウジング４４により維持された複数の半径方向に配設された接点４２を含む。神経カフ電極４０は、電気リード４６と接続され、複数の接点４２の各々に対する電気導管を提供し、適宜に、個別的に又はグループとして起動させる。一般的な表現にて、神経カフ電極４０は、神経の回りに又は神経と刺激連通する状態に配設し、刺激エネルギを神経に送出し得るようにされている。幾つかの実施の形態において、神経カフ電極４０は、例えば、テスターマンその他の者に対して１９９４年９月６日に発行され、参考としてその内容を引用し本明細書に含めた、「カフ電極（Ｃｕｆｆ  Ｅｌｅｃｔｒｏｄｅ）」という名称の米国特許第５，３４４，４３８号明細書に記載されたように、実質的にＵ字形をしている。適宜な神経カフ電極のその他の例は、ネープル（Ｎａｐｌｅｓ）その他の者に対して１９８６年７月２９日付けで発行された、「カフ、製造方法及び設置方法（Ｃｕｆｆ，Ｍｅｔｈｏｄ  ｏｆ  Ｍａｎｕｆａｃｔｕｒｅ，ａｎｄ  Ｍｅｔｈｏｄ  ｏｆ  Ｉｎｓｔａｌｌａｔｉｏｎ）」の名称の米国特許第４，６０３，６２４号明細書に記載された、自己寸法決め電極カフを含む。以下により詳細に記載するように、神経カフ電極４０は、幾つかの実施の形態にて神経により制御される筋肉を選択的に刺激し得るようにされている。例えば、神経カフ電極４０は、信号発生器２４（図１）のような、マルチチャネル信号発生器を用いて半径方向に配設された接点４２を個別に励起することを選択的に許容し得るようにされ、電流の操縦技術を実行するすなわち別言すれば、所望に応じて神経の神経束を選択的に刺激し得るようにされている。
【００２２】
図１を再度参照すると、本明細書にて使用するように、「自蔵電極」とは、信号発生器２４にハードワイヤー接続されていない電極を意味し且つ（又は）本明細書にて後に引用するシュルマン（Ｓｃｈｕｌｍａｎ）の特許に記載されるもののような、それ自体の信号発生器を含む。例えば、信号発生器２４は、選択随意的に無線周波数通信及び（又は）磁気通信機構を介して電力を電極アレー２６にて送信し及び（又は）供給する。更に、幾つかの実施の形態において、自蔵電極又はこれと代替的に、所望であれば、「ハードワイヤー接続した」電極は、選択的に、信号発生器及び（又は）電極の起動を制御するプロセッサ、電極を起動させる電力を提供する電源、刺激エネルギを受け取り／運ぶ１つ以上の接点のような、色々な制御／作動構成要素と一体化されている。
【００２３】
図４は、システム２０が電極アレー２６として又はその一部として有用な少なくとも１つの自蔵電極４８を含む１つの実施の形態の概略図である。自蔵電極４８は、例えば、システム２０が設けられた送信機（図示せず）から無線周波数及び（又は）磁気信号のような信号Ｓを受け取る状態にて示されている。幾つかの実施の形態において、自蔵電極４８は、シュルマンその他の者に対して１９９３年３月１６日付けで発行された、「植込み型マイクロスティミュレータ（Ｉｍｐｌａｎｔａｂｌｅ  Ｍｉｃｒｏｓｔｉｍｕｌａｔｏｒ）」という名称の米国特許第５，１９３，５３９号明細書、シュルマンその他の者に対して１９９３年３月１６日付けで発行された、「植え込み型マイクロ刺激器の構造及び製造方法（Ｓｔｒｕｃｔｕｒｅ  ａｎｄ  Ｍｅｔｈｏｄ  ｏｆ  Ｍａｎｕｆａｃｔｕｒｅ  ｏｆ  ａｎ  Ｉｍｐｌａｎｔａｂｌｅ  Ｍｉｃｒｏｓｔｉｍｕｌａｔｏｒ）」という名称の米国特許第５，１９３，５４０号明細書、シュルマンその他の者に対して１９９４年６月２８日付けで発行された、「植込み型マイクロ刺激器」という名称の米国特許第５，３２４，３１６号明細書（本明細書にて集合的に「シュルマンの特許」と称する）に記載されたもののような、植込み型マイクロ刺激器であり、これら特許の全ての内容は参考として引用し本明細書に含められている。例えば、コントローラ２２及び（又は）信号発生器２４は、選択随意的に、電気コイル（図示せず）を含み且つ、嚥下障害の患者の外部に設けられ、自蔵電極４８は、皮下的に植え込まれる。幾つかの実施の形態において、システム２０は、自蔵電極４８は信号Ｓを通して電力及び（又は）刺激プロンプトを受け取り、例えば、信号Ｓは、外部の電気コイルを用いて信号発生器２４と自蔵電極４８との間に確立されたＡＣ磁気リンクである。
【００２４】
図１を再度参照すると、センサアレー２８は、第一のセンサ２８ａ、第二のセンサ２８ｂ、第三のセンサ２８ｃのような１つ以上のセンサを含む。センサアレー２８は、嚥下及び（又は）システム２０に関する情報を提供し得るようにされている。センサアレー２８は、外側に、例えば、皮膚に又は毛に配置し及び（又は）適宜に、経皮的に配置することといったような皮下的な用途にて使用し得るようにされたセンサを含む。幾つかの実施の形態において、センサアレー２８は、加速度計のような、１つ以上の力、動き、圧力及び（又は）位置のセンサ、例えば、歪み計のような力計、ＥＭＧセンサ、例えば、超音波発生／感知変換器を提供するため圧電結晶を使用するセンサのような、変位センサ、圧力センサ及びその他を含む。
【００２５】
例えば、センサ２８ａ−２８ｃのような色々なセンサの作動条件は、以下のシステム２０を用いて人工的に嚥下を刺激する色々な実施の形態の方法を参考にすることにより一層良く理解される。システム２０と共に適宜に使用し得るようにされた適正なセンサ及び（又は）センサの例は、例えば、発明者、フェレック−ペトリック（Ｆｅｒｅｋ−Ｐｅｔｒｉｃ）その他の者に対して２００６年５月２日付けで発行され、参考としてその内容を引用し本明細書に含めた、「超音波方法及びその方法を使用する植込み型医療装置（Ｕｌｔｒａｓｏｕｎｄ  Ｍｅｔｈｏｄｓ  ａｎｄ  Ｉｍｐｌａｎｔａｂｌｅ  Ｍｅｄｉｃａｌ  Ｄｅｖｉｃｅｓ  Ｕｓｉｎｇ  Ｓａｍｅ）」という名称の米国特許第７，０３７，２６６号明細書に見ることができる。
【００２６】
以前に言及したように、電源３０は、単一の構成要素とし又は多数の構成要素とし、また、別個に且つシステム２０のその他の構成要素と異なり又はシステム２０のその他の構成要素の一体化した部分として設けられる。電源３０は、選択随意的に、化学電池、コンデンサ又はシステム２０に給電するその他の適正な手段である。幾つかの実施の形態において、電源３０は、例えば、嚥下障害を患う人のような、生きた生物内に安全に植え込み得るようにされている。
嚥下の概説
システム２０及びその使用方法の追加的な利点を説明する前に、上記の説明に対する理解の下、飲み込む行為である、嚥下の色々な側面及び嚥下と関連した色々な身体部分に関する幾つかの背景を提供することが有用である。図５Ａは、嚥下と関連した身体要素５０の全体化した概略図である。一方、図５Ｂは、更なる理解のため提供される図５Ａの身体要素５０の幾つかを示す第二の全体化した概略図である。全体的に説明すると、身体要素５０については、人間の解剖学的部位に関して説明する。しかし、人間の解剖学的部位はその他の生物のものと同一ではないが、本明細書に説明したものと同様の着想は、例えば、猿、猫、犬、馬、は虫類又はその他の動物のような、その他の生きた生物にも適用可能であると考えられる。しかし、全体的な用語にて、身体要素５０は、全体として、１つ以上の神経５２と、１つ以上の嚥下筋肉５４と、１つ以上の嚥下構造体５６とを含む。より詳細に説明したように、神経５２は、嚥下筋肉５４を直接刺激し且つ（又は）感覚粘膜又は筋肉感覚端末を介することを含んで、嚥下筋肉５４を感覚的に起動することにより運動機能を果たす。一方、嚥下筋肉５４は、嚥下構造体５６を動かして嚥下を完了させる、すなわち別言すれば、完全な飲み込み行為を実行する。
【００２７】
背景の一例として、完全な飲み込み行為は、口内段階、咽頭段階、食道段階という幾つかの基本的な段階に分けることができる。段階の各々は、ボーラスの嚥下を実行する一連の動きを含む。本明細書にて使用したように、「ボーラス」とは、別段の記述がない限り、液体及び固体を含む、飲み込むべき任意の物質を意味する。嚥下障害の場合、１つ以上の嚥下段階の間、筋肉の活動（例えば、タイミング、型式又は活動量）が不十分であり、嚥下は不良である。多くの場合、不良な嚥下の結果、ボーラス又はその一部分を吸入することになる。時として、特別な嚥下障害のケースは、特定の飲み込み構造／影響を受ける筋肉を含んで、個人に従い且つ（又は）飲み込むボーラスの型式／寸法／コンシステンシーに従って異なる態様及び（又は）異なる程度にて、飲み込みに影響を与える。
【００２８】
全体として、口内段階は、例えば、柔口蓋の前方位置を制御するといった、口内構造の随意的制御を伴う。口内段階の間、ボーラスは、典型的に、舌にて口腔内に後方に押される。口内段階の終了部分は、全体として、ボーラスがのどの前方口蓋アーチを通過することにより示される。典型的に、咽頭相は、口内段階の終了部分にて開始される不随意の反射として開始する。３つの段階の部分は重なり合うことが多いことを認識すべきである。嚥下障害のあるケースにおいて、口内段階の間の不十分な動きの結果、咽頭相の開始部分の始まりが遅れることとなる一方、このことは飲み込む間の吸入を招く可能性がある。
【００２９】
咽頭段階の開始部分は、典型的に、舌骨・喉頭器官系(ｈｙｏｌａｒｙｎｇｃａｌ  ｃｏｍｐｌｅｘ）を持ち上げ又は上昇させ且つ、それを前方向に向けて前方に動かすため、舌骨の動き及び喉頭部の高さ位置を制御する舌骨・喉頭器官系の筋肉を使用することを含む。通常、咽頭段階の一部分として、甲状披裂軟骨及び心室索を閉じて口蓋帆咽頭シールを形成する。喉頭蓋を傾け、また、上食道括約筋（ＵＥＳ）を弛緩させて食道を開放する。ＵＥＳは、輪状咽頭の領域内に配置されており、また、ＵＥＳは、輪状軟骨に装着される輪状咽頭筋を含む。嚥下障害の幾つかのケースにおいて、舌骨・喉頭器官系の持ち上げ／前方への動きが不十分であり、喉頭蓋の傾きが不十分、及び（又は）ＵＥＳの弛緩／開放が不十分であることがあり、これらは全て、完全な飲み込み行為にて吸込み及び（又は）その他の不良を引き起こす可能性がある。
【００３０】
食道段階の開始部分は、典型的に、上食道括約筋（ＵＥＳ）が開放するときに開始される。ボーラスは、典型的に、咽頭段階の間に開始される一連のぜん動波の収縮により食道の下方に運ばれる。ボーラスは、最終的に、下食道括約筋へ向かう途中にて作用し且つ、胃に入る。嚥下障害の幾つかのケースにおいて、輪状咽頭の開口部は、咽頭段階の後、弛んだままであり、十分に収縮しない。その結果、かなりの材料が咽頭内に残り、その後に残る材料を吸入する危険性を増す可能性もある。
【００３１】
上記の概説に留意して、身体構成要素５０について及び身体構成要素５０間の相対的な相互作用について、神経５２から始めてより詳細に説明する。神経５２は、第一の神経５２ａ、第二の神経５２ｂ、第三の神経５２ｃのような複数の神経を含む。全体的な表現にて、神経５２は、嚥下筋肉５４の起動を刺激し且つ（又は）嚥下に関する感覚的フィードバックを提供し、神経５２ａ、５２ｂ、５２ｃの各々は、複数の神経線維により形成され、その神経線維は、神経束にグループ化される。例えば、第一の神経５２ａは、第一の神経束６０ａ、第二の神経束６０ｂ、第三の神経束６０ｃ、第四の神経束６０ｄのような、第一の複数の神経束６０を含む。第二の神経５２ｂは、また、第五の神経束６２ａ及び第六の神経束６２ｂのような、第二の複数の神経束６２を含む。以下により詳細に説明するように、筋肉運動応答と関係されたとき、神経束は、１つ以上の嚥下筋肉５４と「結合」され、このため、特定の神経束又は神経束のグループは、特定の筋肉又は筋肉グループを刺激するすなわち別言すれば、起動させる。幾つかの実施の形態は、特定の神経の１つ以上の神経束を選択的に刺激してその特定の神経と関係された嚥下筋肉を選択的に刺激することを含む。
【００３２】
第一の神経５２ａは、例えば、オトガイ舌骨、舌骨舌筋、甲状舌骨、肩甲舌骨、胸骨甲状腺、胸骨舌骨、オトガイ舌筋及び（又は）茎突舌筋を起動させる神経束６０を有する舌下神経である。一方、第二の神経５２ｂは、例えば、顎舌骨筋及び（又は）顎二腹筋を起動させる顎舌骨筋神経（下歯槽神経から）である。第三の神経５２ｃは、１つ以上の関係付けた嚥下筋肉５４を起動させる頸部の神経である。第一、第二及び第三の神経５２ａ−５２ｃに対する特定の例を示したが、神経５２は嚥下（運動機能）と関係した筋肉組織を刺激し且つ（又は）感覚信号を運ぶ（感覚機能）神経の任意のもの（神経枝、神経根、神経細根等）であることを理解すべきである。例えば、神経５２は、迷走神経、舌下神経、顎舌骨筋神経、舌咽頭神経、喉頭神経、上喉頭神経、反回神経、顔面神経、Ｃ１三叉神経、下顎神経、下歯槽神経、及び頸神経、頸神経わなを含む神経及びその他の神経の１つ以上から選ばれる。
【００３３】
図５Ａ、図５Ｂ及び図８間を参照すると、上記にて参照したように、嚥下筋肉５４によって色々な嚥下段階に相応する動きが生じる。参考のため、図５Ｂには、舌骨・喉頭器官系６４を動かす関係させた方向に従って嚥下筋肉５４の幾つかが示されている。嚥下筋肉５４は、全体として、嚥下の口内段階、咽頭段階及び食道段階の任意の１つ以上と関係させた筋肉を含んで、嚥下の構成要素と関係させた動きを生じさせる複数の筋肉の任意のものである。説明の目的のため、第一の筋肉５４ａ、第二の筋肉５４ｂ、第三の筋肉５４ｃ、第四の筋肉５４ｄ、第五の筋肉５４ｅ、第六の筋肉５４ｆ、第七の筋肉５４ｇ、第八の筋肉５４ｈ及び第九の筋肉５４ｉについて説明する。特に、筋肉５４ａ−５４ｉは、それぞれ顎舌骨筋、オトガイ舌骨、甲状舌骨、顎二腹筋の前腹、舌骨舌筋、茎突舌骨筋、オトガイ舌筋、胸骨舌骨、及び胸骨甲状腺である。
【００３４】
上記に嚥下筋肉５４の特定のものをリストアップしたが、嚥下筋肉５４は、また、次の非限定的なリストから選んだ筋肉又は筋肉グループの任意の１つ以上を含むことを理解すべきである。すなわち、喉頭と舌骨を支持する筋肉、内喉頭筋、外喉頭筋、舌の後部内在筋、舌骨舌筋、オトガイ舌筋、甲状舌骨、上咽頭収縮筋、中咽頭収縮筋、下咽頭収縮筋、輪状咽頭筋（ＵＥＳ）、顎二腹筋、外側輪状披裂筋、オトガイ舌骨、口蓋帆挙筋、顎舌骨、肩甲舌骨、口蓋舌筋、口蓋咽頭筋、胸骨舌骨、胸骨甲状腺、茎突舌筋、茎突舌骨、茎突咽頭筋、口蓋帆張筋、甲状披裂軟骨の下、甲状披裂軟骨の上、及びその他である。参考のため、両側対の筋肉を暗示するとき、例えば、「単一の嚥下筋肉」という語は、かかる両側対の筋肉の片側のものだけを示す。
【００３５】
嚥下構造体５６は、骨、軟骨物質、組織、筋肉（１つ以上の嚥下筋肉５４を含む）及び（又は）その他の材料にて形成される。一般的な表現にて、嚥下構造体５６は、例えば、ＵＥＳ、喉頭蓋、舌骨、及び喉頭及び（又は）咽頭のその他の要素並びにその他の嚥下構造を含む。
【００３６】
図５Ａの概略図を参照すると、嚥下構造体５６は、その要素を図５Ｂにも示した舌骨・喉頭器官系６４を含む。本明細書にて使用したように、「舌骨・喉頭器官系」という語は、喉頭、舌骨、及び関係した嚥下筋肉を含む首の嚥下構造体を意味する。図５Ａを参照すると、舌骨・喉頭器官系６４は、舌骨７０、喉頭蓋７２、ＵＥＳ７６、及び前庭８０を画成する下方喉頭軟骨７８を含む。舌骨・喉頭器官系６４は、体軸（ｒｏｓｔｒｏｃａｕｄａｌ  ａｘｉｓ）軸ＨＲＣと、前−後軸（ａｎｔｅｒｉｏｒ−ｐｏｓｔｅｒｉｏｒ  ａｘｉｓ）ＨＡＰとを画成する。参考のため、また、一般的な表現にて、咽頭Ｐ（全体として表示した方向に向けて特定）は、呼吸器官経路及び消化器官経路が拡がる箇所である舌骨・喉頭器官系６４内まで伸びている。この拡がりは、食道Ｅ（全体として表示した方向に向けて特定）と後方に連通する咽頭Ｐにより特徴とされ、この箇所にて、ＵＥＳ７６は、呼吸する間、食道Ｅを咽頭Ｐから閉じる。典型的に、食道Ｅは、上記に説明したように、食物及び流体を胃まで運ぶ。一方、咽頭Ｐから逃げる空気は、呼吸中、気管Ｔ（全体として表示した方向に向けて特定）まで喉頭前庭８０を通って前方に進む。
【００３７】
図５Ａ及び図５Ｂ間を参照すると、飲み込む間、喉頭前庭８０は、材料が後方に食道Ｅ内に輸送される間、閉じられている。特に、正常な飲み込みの間、舌骨・喉頭器官系６４は、前方及び上方に持ち上げられる。喉頭蓋７２は、折り畳まれて喉頭前庭８０を閉じる。この動きは、ＵＥＳ７６の弛緩をトリガーし、食物又は液体が食道Ｅ内に進むことができるようにする。
【００３８】
適正に機能する飲み込み中、色々な動きは、不随意的に調和されて、液体又は固体物等のボーラスを実質的に吸入することを避ける。しかし、嚥下障害の場合、かかる嚥下動きは、不適切なタイミングとされ且つ（又は）不十分である。例えば、舌骨・喉頭器官系６４は、上方及び前方への動きが不十分であり、喉頭蓋７２は、下方に十分に折り畳まれず、且つ（又は）ＵＥＳ７６は、嚥下障害の幾つかの場合、十分に弛緩せず、嚥下する間に吸入する結果となる。以下に説明するように、システム２０（図１）は、嚥下を助け、特に、嚥下障害の患者が飲み込む間の吸入を少なくし又は実質的に解消すべく使用することができる。上記の嚥下及び嚥下障害の概説に鑑みて、以下の色々な実施の形態について説明する。すなわち、システム２０の植え込み、システム２０によって実行される色々な刺激プログラム及びそれらの特徴、単一の嚥下筋肉の刺激及びシステム２０にて嚥下を人工的に刺激するよう筋肉グループを選択すること、筋肉の起動パターン及び嚥下筋肉を刺激するための相応する刺激パターン、例えば、ユーザが開始した嚥下動きのタイミングを容易にすべくユーザのフィードバックを提供すること、関係させた神経を介してシステム２０による嚥下筋肉組織の刺激、及び例えば、１つ又は複数の刺激プログラムを変更することにより、システム２０により人工的な嚥下刺激を制御するためのシステムのフィードバックである。
嚥下支援システムの植え込み
図１、図５Ａ、図５Ｂ及び図６間を参考して、システム２０を植え込む方法の色々な実施の形態について説明する。更なる参考のため、例えば、切開部の縫合、外科箇所の洗浄、予防的抗生剤の塗布、又は身体恒常性のチェックのような色々な補助的手順が明確に考えられるが、更なる説明は省かれている。使用及び構成の点にて、システム２０は、選択随意的に、持ち運び可能であるようにされ、また、皮下的に植え込まれ且つ（又は）幾つかの実施の形態にて別言すれば、長期間、システム２０のユーザ９０によって支持される。
【００３９】
このことに留意し且つ、図６を特に参照すると、システム２０の植え込みは、全体として、コントローラ２２、信号発生器２４、及び電源３０を単一のユニットとして植込み型ハウジング３２内に配設する工程を含む。ハンドスイッチ１１６のような、１つ以上の外部装置は、選択随意的に、コントローラ２２と接続されるすなわち別言すれば、これらと連通し、以下により詳細に説明するように、ユーザ制御による嚥下刺激を行う。上方胸部９４に且つシステム２０のユーザ９０の鎖骨９６の下方にて皮下的空所９２を画成するため第一の切開が為される。皮下的空所９２は、植込み型ハウジング３２を維持し得るような寸法、形状とされる、すなわち別言すれば形成される。次に、植込み型ハウジング３２は、皮下的空所９２内に配設される。これと代替的に、幾つかの実施の形態において、コントローラ２２、信号発生器２４、及び（又は）電源３０は、選択随意的に、例えば、上述した自蔵電極４８の実施の形態と同様、例えば、電極アレー２６が自蔵電極を含む箇所にてユーザ９０の外側にあるままにされる。
【００４０】
第二の切開、例えば、標準的な上方及び下方の下広頚筋（ｓｕｂｐｌａｔｙｓｍａｌ）フラップを有する変更したエプロン切開部が首９８の甲状舌骨膜レベル１００の回りにてユーザ９０の首９８に形成される。第一及び第二の切開部は、その２つの切開部間に第一の通路を形成することにより接続される。通路は、全体として、ユーザ９０の胸骨柄１０２の上方にて第一の切開部と第二の切開部との間で皮膚の下方にて伸びる。
【００４１】
幾つかの実施の形態において、電極アレー２６は、第一の電気リード１０４ａと、第二の電気リード１０４ｂとを含み、リード１０４ａ、１０４ｂの各々は、電極アレー２６と信号発生器２４との間に電気的接続部を形成し得るようにされている。例えば、嚥下筋肉の刺激が望まれる場合、第二の電気リード１０４ｂは、第一の電気リード１０４ａに対する首９８の反対側に選択的に皮下的に配設され、電極アレー２６の相応する電極は、首９８にて対向する態様で皮下的に配置される。上述したように、電気リード１０４ａ、１０４ｂは、選択的に、伸長可能なリードの適用例にて設けたものと実質的に同様である。
【００４２】
しかし、電気リード１０４ａ、１０４ｂの各々は、それぞれ第一の端部領域１０６ａ、１０６ｂと、第二の端部領域１０８ａ、１０８ｂとを画成する。第一の電気リード１０４ａの第一の端部領域１０６ａは、第一の通路を通って皮下的空所９２に送り込まれる。幾つかの実施の形態において、第二の切開部と実質的に同様の第三の切開部が首の反対側に形成される。第二の通路は、選択的に、第一の通路に対する第三の切開部から第一の切開部を介して形成された皮下的空所９２に対する第三の切開部から直接、皮下的に形成されるが、電気リード１０４ａ、１０４ｂを皮下的に配置する多岐にわたる方法とすることが考えられる。しかし、選択随意的に、第二の電気リード１０４ｂの第一の端部領域１０６ｂは、第二の通路を通して皮下的空所９２に送り込まれる。
【００４３】
幾つかの実施の形態において、電気リード１０４ａ、１０４ｂの各々は、第一の電気リード１０４ａの枝分かれ点ＢＰのように、第二の端部領域１０８ａ、１０８ｂの基端側にて枝分かれする（第二の電気リード１０８ｂの枝分かれ状態は、図６の図にて陰に隠れている）。第二の端部領域１０８ａ、１０８ｂの各々が枝分かれする点の１つ以上は、選択随意的に、ユーザ９０の胸鎖乳突筋の前方に配置されるが、その他の位置とすることも考えられる。
【００４４】
上述したように、図６は、電極アレー２６をユーザ９０の首９８内に両側に植え込む状態を示すが、例えば、第一の電気リード１０４ａのみを使用して片側に植え込むことも考えられる。一般的な表現にて、両側嚥下筋肉組織の刺激を容易にするため両側へ植え込む方法が使用されるが、両側に植え込むためその他の手順とすることが考えられる。甲状舌骨、舌骨舌筋、顎舌骨及びオトガイ舌骨及び（又は）任意のその他の嚥下筋肉５４のような、１つ以上の嚥下筋肉５４が特定される。更に、又はこれと代替的に、感覚的機能を提供する嚥下筋肉５４（運動機能）及び（又は）神経５４を制御する１つ以上の神経５２が特定される。例えば、幾つかの実施の形態において、対象とする嚥下筋肉５４及び（又は）神経５２を特定するため視覚的確認及び（又は）神経の刺激法が使用される。
【００４５】
神経５２及び（又は）嚥下筋肉５４の特定後、例えば、電極２６ａ−２６ｃのような、電極アレー２６の１つ以上の電極は、選んだ筋肉５４に関連してすなわち別言すればこの選んだ筋肉５４を制御する神経５２を介して又は直接的に、選んだ嚥下筋肉５４と刺激連通する状態に配置される。電極アレー２６は、選択的に、適宜に、縫合系、外科用締結具又はその他の手段を用いて適所に固定される。幾つかの実施の形態において、電極アレー２６を嚥下筋肉５４と刺激連通する状態に配置する工程は、電極アレー２６の１つ以上の電極を１つ以上の嚥下筋肉５４の表面に固定する工程と、１つ以上の電極を１つ以上の嚥下筋肉５４内に挿入する工程と、及び（又は）１つ以上の電極を選んだ１つ以上の嚥下筋肉５４を起動させる１つ以上の神経５２と刺激連通する状態に配置する工程とを含む。
【００４６】
幾つかの箇所にて、電気リード１０４ａ、１０４ｂの第二の端部１０８ａ、１０８ｂは、植込み型ハウジング３２に固定され且つ信号発生器２４と連通する状態に配置される。一方、電気リード１０４ａ、１０４ｂの第一の端部１０６ａ、１０６ｂは、電極アレー２６の電極と接続される。幾つかの実施の形態において、電極アレー２６の電極は、また、例えば、センサアレー２８内のセンサとして作用するよう、感知機能の作用を果たすようにしてもよいことを認識すべきである。認識し得るように、センサアレー２８は、選択随意的に、電極アレー２６と関連して使用されるものと実質的に同様の技術にて選択的に植え込まれる。更なる理解のため、センサアレー２８を植え込む幾つかの実施の形態の方法について、センサ２８ａ−２８ｃに関連して以下に説明する。
【００４７】
特に、顎骨、より特定的に、ユーザ９０の下顎骨のオトガイ隆起１１０に第四の切開部が選択随意的に形成される。第一のセンサ２８ａは、例えば、接着剤、縫合系、骨アンカー又はその他の手段によりオトガイ隆起１１０に皮下的に固定される。第一のセンサ２８ａは、選択的に、第一及び第二の電気リード１０４ａ、１０４ｂの１つと接続される。その他の実施の形態において、第一のセンサ２８ａは、第一及び第二の電気リード１０４ａ、１０４ｂに対すると実質的に同様の仕方にて、胸骨柄１０２の上方を進んで、可撓性の伸長可能な電気リードのような、第三の電気リード１１２と接続される。
【００４８】
図５Ａ、図５Ｂ及び図６間を参照すると、第二のセンサ２８ｂは、選択随意的に、例えば、第二又は第三の切開部を通して挿入され、又は第五の切開部は、選択随意的に、ユーザ９０の首９８に形成され、センサ２８ｂは、第五の切開部を通して皮下的に配置される。第二のセンサ２８ｂは、選択的に、例えば、舌骨・喉頭器官系６４のような、嚥下構造体５６に固定される。幾つかの実施の形態において、第二のセンサ２８ｂは、舌骨７０、喉頭蓋７２又は、例えば、甲状軟骨、輪状軟骨、披裂軟骨、楔状軟骨、及び（又は）小角軟骨を含む任意の喉頭軟骨に対して固定される。更に、又はこれと代替的に、第二のセンサ２８ｂは、ＵＥＳ７６に対し選択随意的に固定される。
【００４９】
幾つかの実施の形態において、第二のセンサ２８ｂは、舌骨・喉頭器官系６４又はその特定の要素の体軸ＨＲＣ及び前−後軸ＨＡＰに対して実質的に平行に方向決めされる。適用可能な場合、第二のセンサ２８ｂは、電気リードと接続され、例えば、第二のセンサ２８ｂは、第一の電気リード１０４ａと選択随意的に接続される。このことから、電気リード１０４ａ、１０４ｂは例えば、電力をセンサアレー２８に運び且つ（又は）センサアレー２８からセンサ情報を運ぶと共に、電極アレー２６に刺激エネルギを運ぶことを含んで、選択随意的に、多くの目的を果たすことを理解すべきである。
【００５０】
図６を特に参照すると、幾つかの実施の形態において、第三のセンサ２８ｃは、システム２０の植込み型ハウジング３２に対して固定されている。例えば、第三のセンサ２８ｃは、選択随意的に、ハウジング３２を植え込む前、植え込むと同時に、又は植え込んだ後に、植え込まれる。幾つかの実施の形態において、第三のセンサ２８ｃは、植え込み可能なハウジング３２に固定される、すなわち別言すれば、第三のセンサ２８が植え込み可能なハウジング３２から実質的に設定された距離にあり且つ、コントローラ２２及び（又は）信号発生器２４と連通しているよう固定される。
【００５１】
システム２０を植え込んだ後、所望に応じてシステム２０の色々な試験及び（又は）最適化が実行される。幾つかの実施の形態において、システム２０は、以下により詳細に説明するように、電極アレー２６を用い且つ嚥下刺激を最適化するようセンサアレー２８から情報を受け取ることによりユーザの嚥下を刺激することで自己形成の操作を実行する。センサアレーの情報の評価に続いて、システム２０は、例えば、ユーザの嚥下を一層良く制御し得るように刺激プログラムを変更することによりシステムの構成を変更する。その他の実施の形態において、システム２０は、技師又はその他の適宜な人間により手操作にて形成される。システム２０の植え込みに関する植え込み情報も選択随意的に記録される。例えば、電極の型式／配置、センサの型式／配置、システムの試験結果に関する情報及び（又は）その他の関連する情報は、選択随意的に、遠隔的に保存し又は直接、システム２０と関係させた記憶装置に保存する。
刺激プログラムの開始及び選択
図１を参照すると、植え込んだ後、１つ以上の刺激プログラムに従って、システム２０を使用してユーザの嚥下の要素を刺激する。特に、システム２０は、ユーザ９０（図６）の多数の嚥下応答を刺激し、実質的に吸入することなく、ユーザの嚥下の１つ以上の要素を助け得るようにされている。上述したように、システム２０は、システム２０を構成する方法の一部として、ユーザ９０に対し飲み込み方法を指導する治療方法の一部として及び（又は）例えば、長期間にわたって支援を保つ方法の一部として、ユーザの嚥下の１つ以上の要素を選択随意的に刺激する。
【００５２】
システム２０は、全体として、１つ以上の刺激プログラムに従って、１つ以上の嚥下筋肉５４を起動する。例えば、コントローラ２２は、選択随意的に、１つ以上の刺激プログラムを保存し且つ所望の嚥下プログラムに従って信号発生器２４を作動させ刺激エネルギを電極アレー２６に送って、１つ以上の嚥下筋肉５４を起動させる。幾つかの実施の形態において、刺激プログラムは、実質的に吸入することなく、食物及び飲物の少なくとも一方の嚥下を刺激する能動的な栄養補給プログラム及び実質的に吸入することなくユーザの分泌物の嚥下を刺激する受動的なユーザの分泌維持プログラムを含む。能動的な栄養補給プログラムは、選択随意的に、ボーラスの特徴に従って、特定のボーラスの嚥下プログラムの種類に更に分割され、これらのプログラムは、例えば、所望に応じて、特殊な液体の嚥下プログラム及び特殊な固体の嚥下プログラム、ボーラスの量又はコンシステンシーに従って最適化された特殊な嚥下プログラム及びその他を含む。
【００５３】
能動的な栄養補給プログラムの開始は、選択随意的に、「ユーザの制御」の下にある。特に、任意の特殊な嚥下プログラムを含んで能動的な栄養補給プログラムは、例えば、図６に全体的に示したように、ハンドスイッチ１１６のような外部の携帯型スイッチセンサを介して又は音声命令、動きセンサ、又は「ワイヤー接続した」すなわち別言すれば、例えば、無線周波数通信を介して上述したように、システム２０と連通したセンサアレー２８の１つ以上のセンサを介してユーザの栄養補給要求のプロンプト（刺激）に応答して選択的に開始される。このように、幾つかの実施の形態において、ユーザは、システム２０に対し栄養補給要求のプロンプトを提供し、能動的な栄養補給プログラムを開始することができる。
【００５４】
幾つかの実施の形態において、ユーザ９０は、例えば、ハンドスイッチ１１６を所望の刺激時間、押し続けることにより所望の期間又は時間、能動的な栄養補給プログラムを開始し且つシステム２０により嚥下筋肉の刺激を継続することができる。更に、刺激の強度は、選択随意的に、ハンドスイッチ１１６又はその他のセンサを押す程度に従って、ユーザの制御の対象である。また、例えば、２０秒のような、実質的に連続的な予め設定した嚥下刺激の期間、又は、例えば、ジュールにて測定した、特定の量の刺激エネルギが送出された後、システム２０は、更なる刺激を自動的に中断するようにした、安全性オーバライド機能を提供することも考えられる。幾つかの実施の形態は、能動的な栄養補給プログラムのユーザ制御による開始を含むが、システム２０は、例えば、センサアレー２８の１つ以上のセンサを使用してユーザが摂食し又は飲み込もうとするときを選択随意的に自動的に感知することも理解すべきである。また、幾つかの実施の形態において、ユーザ９０は、例えば、ハンドスイッチを使用して、どの型式のボーラス及び（又は）相応する嚥下プログラムをシステム２０により実行させるかに関するユーザの入力を提供する。
【００５５】
上記にて言及したように、能動的な栄養補給プログラムは、例えば、特殊なプログラムを提供することを介して、液体又は固体ボーラスの消費、異なるボーラス量を有するボーラスの消費、又は異なるボーラスのコンシステンシーを有するボーラス消費に対して、選択随意的に最適化される。以下に説明するように、かかる特殊なプログラムに従った刺激は、例えば、嚥下障害の患者でない人による液体の嚥下のような状態に従って「正常な」液体状又は固体状嚥下の嚥下応答特徴を示すよう、選択随意的にモデル化される。
【００５６】
幾つかの実施の形態において、ユーザの分泌維持プログラムは受動的に作用し、又はバックグラウンドプログラムとして作用する。特に、ユーザの分泌維持プログラムは、唾液のようなユーザの分泌物の嚥下又は粘膜を自動的に、定期的に刺激し得るようにされている。平均成人は、毎日、約５００ｍｌから約１５００ｍｌの唾液を生じさせるという証拠がある。自動的な維持プログラムを提供することは、ユーザ９０がこれらの分泌物を実質的に吸入することなく、かかるユーザの分泌物を処分することを容易にする。周期、すなわちユーザの分泌維持プログラムに従って開始された嚥下順序の間のタイミングは、特定の個人の観察を介して、例えば、人間又はその他の動物が分泌物を嚥下する間に示す平均時間を介して選択随意的に決定される、すなわち別言すれば選択したように嚥下を定期的に刺激する。ユーザの分泌維持プログラムは、また、システム２０の「夜間モード」の作動設定の一部として作用させることもできる。例えば、ユーザの分泌維持プログラムは、ユーザ９０が実質的に傾斜した位置又は状態にあるとき又は例えば、その他の基準に従って、夜１０時から朝６時までのような、特定の期間の間、選択随意的に開始し且つ終了する。ユーザの分泌維持プログラムは、選択随意的に、能動的な栄養補給プログラムが開始される迄、バックグラウンドにて連続的に作用する。上記にて言及したように、ユーザ分泌維持プログラムは、幾つかの実施の形態にて分泌物の嚥下と関係した筋肉の起動のため最適化される刺激パターンを含む。
単一筋肉の刺激及び選んだ筋肉グループの刺激
図１、図５Ａ及び図５Ｂを参照すると、色々な実施の形態はユーザの嚥下を刺激すべく複数の嚥下筋肉５４を使用する工程を含むが、幾つかの実施の形態において、システム２０は、完全な飲み込む行為の間の全体にて、単一の嚥下筋肉５４のみを使用してユーザの１つ以上の嚥下構成要素を刺激し得るようにされている。特に、電極アレー２６は、単一の嚥下筋肉５４と刺激連通する状態に配置される。単一の嚥下筋肉は、例えば、１つ以上の電極を単一の筋肉と接触する状態に配置することにより起動されるが、その単一の嚥下筋肉は単一の筋肉を制御する１つ以上の神経を介して直接、刺激してもよく、１つ以上の電極は、その単一の筋肉を刺激すべく１つ以上の神経５２を介して単一の嚥下筋肉と刺激連通する状態に配置される。
【００５７】
このように、幾つかの実施の形態において、単一の嚥下筋肉は、刺激プログラムに従ってシステム２０により人工的に刺激され、完全な嚥下行為の所望の要素が行われるようにする。単一の嚥下筋肉は、完全な嚥下行為の間、電極アレー２６を介する刺激が直接標的とする嚥下筋肉５４の１つにしか過ぎないが、例えば、電流流れ又は電流を単一の嚥下筋肉を通して伝送することにより、幾分かの刺激エネルギは、嚥下筋肉５４のその他の筋肉に偶発的にすなわち別言すれば間接的に送出されるようにすることが考えられる。
【００５８】
特に図５Ｂを参照し、また、上記にて言及したように、幾つかの型式の嚥下障害吸入は、舌骨・喉頭器官系６４を十分な程度に且つ（又は）適正なタイミングにて持ち上げるのを起動させることができない結果として、また、ＵＥＳ７６（図５Ａ）を十分に弛緩させることができない結果として生じる。実際上、嚥下障害と関連した実質的な吸入部分は、かかる嚥下の不良の結果として生ずるとの証拠がある。幾つかの実施の形態において、舌骨・喉頭器官系６４は、舌骨舌筋５４ｅ、顎二腹筋５４ｄの後腹又は茎突舌骨筋５４ｆの１つを直接刺激することにより十分に持ち上げられ、これら筋肉の各々は、それぞれの嚥下筋肉５４が舌骨・喉頭器官系６４に加える動きの方向に従って図５Ｂに全体として示されている。このため、図５Ｂ及び上記の関連する説明を参照すると、単一の筋肉を刺激する方法は、特に、システム２０（図１）を用いてユーザ９０が単一の嚥下筋肉の刺激により提供される舌骨・喉頭器官系６４の持ち上げ及び（又は）前方への動きと組み合わせて十分な程度、ＵＥＳ７６を自動的に引き伸ばすことができることを特徴とする幾つかの実施の形態において特に有益である。幾つかの実施の形態において、ＵＥＳの十分な自律的な引き伸ばし、動き及び（又は）開放する力の存在は、以下に説明するように、センサアレー２８を使用して決定される（図１）。
【００５９】
図５Ａ及び図５Ｂを参照すると、幾つかの実施の形態において、システム２０（図１）は、これらの特別に説明したものの１つ以上のような、複数の嚥下筋肉５４を使用してユーザの嚥下の１つ以上の要素を刺激し得るようにされている。システム２０は、複数の嚥下筋肉５４を使用して協力筋の動きを生じさせるすなわち別言すれば、相乗的な喉頭部の持ち上がり及び上食道括約筋の開放を生じさせることができる。発明者ルドローその他の者に対して発行され、参考としてその内容を引用し本明細書に含めた、「上気道及び飲み込み筋肉グループの筋肉内刺激方法及び装置」という名称の国際出願国際公開ＰＣＴ  Ａｐｐ．Ｐｕｂ．ＷＯ２００４／０２８４３３号明細書（２００４年４月８日公開）には、相乗的な咽頭部の持ち上がり及びＵＥＳの開放を生じさせる幾つかのシステム及び方法が記載されておいる。
【００６０】
幾つかの実施の形態において、システム２０は、ユーザ９０の顎二腹筋の前腹及び舌骨舌筋の少なくとも１つに加えて、顎舌骨、オトガイ舌骨及び甲状舌骨を含む嚥下筋肉５４が標的とするグループを更に刺激し得るようにされている。顎二腹筋及び舌骨舌筋の前腹の一方又は双方に加えて、顎舌骨、オトガイ舌骨及び甲状舌骨を刺激することにより、システム２０は、何らのその他の人工的な介入無しにて、標的としたグループにより完全な嚥下を人工的に誘発させることができると考えられる。
筋肉の起動パターン及び刺激パターン
図７を参照すると、幾つかの筋肉の起動パターンが示されている。特に、嚥下する間、筋肉の起動に関する幾つかのＥＭＧ研究に従って、一連の連続的な重なり合うパターン上にて自然の筋肉の起動が行われる。図７は、その内容を参考として引用し本明細書に含めた、１９Ｊ．神経生理学（ＮＥＵＲＯＰＨＹＳＩＬＯＧＹ）４４−６０（１９５６）における、Ｒ．Ｗ．ドーティ（Ｄｏｔｙ）及びＪ．Ｆ．ボスマ（Ｂｏｓｍａ）による、反射性嚥下の筋電図解析（Ａｎ  ｅｌｅｃｔｒｏｍｙｏｇｒａｐｈｉｃ  ａｎａｌｙｓｉｓ  ｏｆ  ｒｅｆｌｅｘ  ｄｅｇｌｕｔｉｔｉｏｎ）に記載されたように、嚥下する間、猿、猫及び犬の各々の口、咽頭、喉頭の、領域内の筋肉の起動パターンのＥＭＧ測定値を示すものである。
【００６１】
筋肉の起動パターンの「前側系」は、顎舌骨の起動パターン１５０、オトガイ舌骨の起動パターン１５２、後部内舌筋の起動パターン１５４、口蓋咽頭の起動パターン１５６、及び上咽頭収縮筋の起動パターン１５８を含む。また、口蓋舌筋、茎突舌筋及び茎突舌骨筋（図示せず）の起動パターンも「前側複合体」の一部として含められている。前側系の起動パターンは、嚥下を開始させ、約２５０ミリ秒から約５００ミリ秒の範囲における同時的な増大した筋肉の活動を示す。
【００６２】
その他の遅れた筋肉の起動パターンは、甲状舌骨筋の起動パターン１６０、甲状披裂軟骨の起動パターン１６２、中咽頭収縮筋の起動パターン１６４、輪状甲状の起動パターン１６６、下咽頭収縮筋の起動パターン１６８、及び隔膜の起動パターン１７０を含む、向上した筋肉の活動の開始が阻止される状態を示す。事実上、下咽頭収縮筋の起動パターン１６８は、前側複合体の向上した筋肉の活性がほぼ終了する迄、伸びた筋肉の起動が示されている。前側複合体及び遅れた起動パターンの幾つかは、基準値の起動、減少した過渡的起動、増大する起動のランプ及び（又は）減少する起動のランプのような特徴を示す。例えば、顎舌骨の起動パターン１５０は、基準値の起動セグメント１８０ａ、１８０ｂ、減少した過渡的起動セグメント１８２ａ、１８２ｂ、増大するランプセグメント１８４、減少する起動ランプ１８６、増大した起動セグメント１８８を示す。
【００６３】
幾つかの実施の形態において、１つ又は複数の刺激プログラムは、所望に応じて前側筋肉系の起動、その他の嚥下筋肉に対する遅れた起動パターンを含む、上述したもののような、起動パターンに従って決定され又は設定される。嚥下筋肉５４に対する１つ以上の起動パターンを得るため、平均化した自然の嚥下筋肉の刺激パターンが選択随意的に、健常な嚥下障害無しの被験者のグループのような試験グループから決定される。次に、刺激プログラムは、嚥下筋肉の刺激を始め又は駆動し、平均化した自然の嚥下筋肉の起動パターンを開始する。幾つかの実施の形態において、特定の個人に対する個々の自然の嚥下筋肉の刺激パターンを測定し又は計算して特注的な起動パターンを決定する。次に、幾つかの実施の形態において、刺激プログラムは、嚥下筋肉の刺激を始め又は駆動して特注的なパターンにする。その他の実施の形態において、理論的な自然の嚥下筋肉の刺激パターンが、経験的データ、定量的観察、ユーザフィードバック、色々な付与された刺激パターンを有する実際のボーラスの嚥下の測定から且つ（又は）その他の手段を介して得られる。かかる理論的及び（又は）反復的な計算技術は、ユーザ９０が嚥下障害患者であり、また、ユーザ９０から直接、適正な自然の嚥下刺激パターンを測定できないとき、特に有益である。
【００６４】
更に、例えば、液体の嚥下、固体の嚥下及び（又は）ユーザの分泌物の嚥下のような、特定種類の嚥下が選択随意的に測定され又はモデル化される。少なくともこの態様にて、特殊な液体又は固体の嚥下プログラム、ユーザの分泌維持プログラムは、又は例えば、ユーザ９０が傾斜した位置、高い高度にあり、水中にあり及びその他の場合のようなとき、身体の位置又は環境に従った嚥下の変化でさえ、ユーザ９０又は試験グループはかかるボーラスを飲み込むとき且つ（又は）上述した状態にあるとき、嚥下筋肉の起動を測定し又はモデル化することにより、選択随意的に特定される。
【００６５】
図１及び図７間を参照し、また、幾つかの実施の形態において、システム２０は、１つ以上の刺激プログラムを使用して複数の嚥下筋肉５４を刺激し自然の嚥下筋肉の起動パターンを模倣する。例えば、幾つかの実施の形態は、信号発生器２４を使用して電極アレー２６が連続的で且つ重なり合う電気パルス列のグループにより嚥下筋肉５４を刺激し、図７に示したもののような連続的な重なり合う筋肉起動のパターンと同様に、嚥下筋肉５４を起動させる工程を含む。幾つかの実施の形態において、連続的で且つ重なり合う電気パルス列のグループは、少なくとも１つの非対称の二相性波形を含む。
【００６６】
このように、幾つかの実施の形態において、刺激電気パルス列自体が筋肉の起動パターンを模倣し又は筋肉の起動パターンと多少同様の振幅及びタイミングを有する。その他の実施の形態において、システム２０により供給された電気パルスが連続的で且つ重なり合うパルスとして嚥下筋肉５４（図５Ａ）に供給されるかどうかを問わず、電極アレー２６により供給された刺激エネルギパターンは、複数の嚥下筋肉５４の形成される起動パターンが所望の組みの起動パターンを模倣し又はこのパターンと同様であるように構成される。更に、上述した筋肉の起動パターンと同様に、システム２０は、選択的に、基準値セグメント、減少した過渡的セグメント、増大するランプ、減少するランプ及び（又は）その他、相応する筋肉の起動パターンの特徴又はその他を模倣する特徴のような１つ以上の刺激パターンの特徴を規定する１つ以上の電気パルスを供給する。
【００６７】
幾つかの実施の形態において、基準値セグメントは、刺激パターンに含められ、又は基準値の起動セグメントは、さもなければ、特定の嚥下筋肉５４と関係させた嚥下の１つの要素をトリガーする前に、筋肉の張力を調節するようシミュレートされる。幾つかの実施の形態において、刺激プログラムにおける基準値セグメントは、選択随意的に、自動的なユーザの刺激を介して部分的に起動させた嚥下筋肉組織を起動させ且つ、システム２０を介して部分的に起動した筋肉組織を人工的に起動させることの少なくとも一方を行う前に、ユーザ９０の嚥下筋肉組織を部分的に起動された状態に置く作用を果たす。図７にて示したように、嚥下筋肉５４の多くは、完全な筋肉の起動前の基準値活性を示す。基準値刺激セグメントを嚥下筋肉に対する刺激プログラムパターン内に組み込むことは、幾つかの役割を果たすことができ、この役割は、例えば、嚥下の準備として筋肉の緩み及び舌骨咽頭位置を調節し且つ（又は）ユーザ９０の中枢神経系に対しユーザの固有受容性で且つ触覚的なフィードバックを提供することを含む。
【００６８】
図７は、多くの嚥下筋肉５４（図５Ａ）は完全な筋肉の起動の前及び（又は）後、減少した過渡的活性を示すことも証明する。幾つかの実施の形態において、減少した過渡的セグメントは、また、刺激プログラムパターンに存在し、又は、減少した過渡的起動は、その他の点にてシミュレートされる。幾つかの実施の形態において、減少した過渡的起動は、上述したように、基準値起動の活性を阻止する作用を果たし、かかる阻止は、１つ以上の嚥下筋肉５４を完全に起動させる直前及び（又は）その後に行われる。
人工的な嚥下刺激によるユーザのフィードバック及び嚥下タイミング
図１及び図５を参照すると、幾つかの実施の形態において、ユーザのフィードバックは、システム２０により提供される人工的な刺激によりユーザ９０の時間自律的な嚥下努力を助ける。特に、幾つかの実施の形態は、ユーザ９０が自律的に、ユーザのフィードバックに応答して嚥下に要求される動きの幾つかを提供し、システム２０は、また、所望に応じて吸入を防止するのを助けるべく残る嚥下の動きを刺激する。例えば、ユーザ９０には、選択的に、ユーザが嚥下する前、上述の基準値信号のような、しきい値以下の基準値信号が付与され、この信号は、固有受容性のユーザのフィードバックを提供する。一方、システム２０による基準値信号の開始と刺激信号の開始との間の所望のタイミング又は遅れがあるとき、システム２０による嚥下筋肉組織の人工的な刺激は、ユーザのフィードバックと調和される。更に、又はこれと代替的に、ユーザのフィードバックは、選択的に、ユーザ９０に対し飲み込む方法を「再教育」するのを助ける作用をも果たし、ユーザのフィードバックが治療プログラムの一部であるようにする。
【００６９】
幾つかの実施の形態において、ユーザのフィードバックは、舌骨・喉頭器官系６４及び（又は）咽頭Ｐと関係させた感覚粘膜のようなユーザ９０の口及び喉の少なくとも一方の感覚粘膜（図示せず）を刺激することにより更に又は追加的に提供され、ユーザ９０に対し触覚的、感覚的フィードバックを提供する。特に、電極アレー２６の１つ以上の電極は、例えば、舌骨・喉頭器官系６４又は咽頭Ｐの感覚粘膜と刺激連通する状態に置かれる。人工的な嚥下刺激の間、システム２０は、感覚粘膜を刺激して、所望に応じて触覚的なユーザのフィードバックを提供する。嚥下構成要素５０の任意の感覚粘膜はユーザのフィードバックを提供するよう刺激することができると考えられることも理解すべきである。また、上記にて説明したように、その他の実施の形態は、代替的に又は追加的に、電極アレー２６と共に、しきい値以下、基準値又はその他の低レベルの筋肉刺激信号を使用することを含み、固有受容性のフィードバックを提供する。幾つかの実施の形態において、感覚的フィードバックは、１つ以上の電極を１つ以上の神経５２と直接刺激連通する状態に置くことにより提供される。
神経を介しての人工的な嚥下筋肉の刺激
上記にて言及したように、システム２０は、電極アレー２６の接点を嚥下筋肉内に又はその上に置くことにより刺激エネルギを選択随意的に１つ以上の嚥下筋肉５４に送出し得るようにされているが、幾つかの実施の形態は、また、図１、図５Ａ及び図８を参照しつつ説明するように、１つ以上の嚥下筋肉５４を神経５２を介して刺激することを含む。例えば、色々な刺激プログラム及び（又は）上述した筋肉起動パターンは、電極アレー２６にて神経５２を刺激し、又は例えば、嚥下筋肉５４にて（筋外膜電極）又はその内部（筋肉内電極）に植え込んだ電極を使用して嚥下筋肉５４を刺激することにより嚥下筋肉組織の刺激を介して選随意的に送出される。このことに留意して、神経５２を介して人工的に嚥下筋肉を刺激することを含む幾つかの実施の形態について以下に説明する。
【００７０】
図８を特に参照すると、第一及び第二の神経５２ａ、５２ｂと刺激連通する状態に置かれた電極アレー２６の概略図が示されている。参考のため、図８は、上述した色々な嚥下構成要素５０を示し、また、ユーザ９０の歯２００及び舌２１０の概略図も示す。幾つかの実施の形態において、電極アレー２６の第一の電極２６ａは、例えば、上述した神経カフ電極４０（図３）の実施の形態と実質的に同様の神経を刺激し得るようにされている。第二の電極２６ｂは、同様の構成とされており、また、選択随意的に、神経カフ電極４０の実質的に同様の神経カフ電極である。参考のため、第一及び第二の神経５２ａ、５２ｂの一方又は双方は、選択的に、感覚的及び（又は）運動機能を提供し、嚥下筋肉の応答は、感覚的刺激又は運動機能を刺激する結果として行われる。
【００７１】
図１及び図５を更に参照すると、幾つかの実施の形態において、システム２０は、１つ以上の嚥下筋肉５４を起動させて１つ以上の嚥下段階を助けるべく神経５２の神経束を選択的に刺激し得るようにされている。筋肉の選択的な刺激及び許容可能な電極型式の説明については、例えば、１２（２）ＩＥＥＥ神経系リハビリエンジニアリングに関するトランザクション（ＴＲＡＮＳＡＣＴＩＯＮＳ  ＯＮ  ＮＥＵＲＡＬ  ＳＹＳ．ＲＥＨＡＢ．ＥＮＧ’Ｇ）２５１−２５７（２００４）における、Ｍ．Ｄ．テーラー（Ｔａｒｌｅｒ）及びＪ．Ｔ．モーティマー（Ｍｏｒｔｉｍｅｒ）による、４接点神経−カフ電極を使用する４つの動作神経束の電気的及び独立的な作動（Ｅｌｅｃｔｉｖｅ  ａｎｄ  ｉｎｄｅｐｅｎｄｅｎｔ  ａｃｔｉｖａｔｉｏｎ  ｏｆ  ｆｏｕｒ  ｍｏｔｏｒ  ｆａｓｃｉｃｌｅｓ  ｕｓｉｎｇ  ａ  ｆｏｕｒ  ｃｏｎｔａｃｔ  ｎｅｒｖｅ−ｃｕｆｆ  ｅｌｅｃｔｒｏｄｅ）、及びＩＥＥＥ生物医学エンジニアリングに関するトランザクション（ＴＲＡＮＳＡＣＴＩＯＮＳ  ＯＮ  ＢＩＯＭＥＤＩＣＡＬ  ＥＮＧ’Ｇ）１−９（１９９７）におけるＷ．Ｍ．グリル（Ｇｒｉｌｌ）及びＪ．Ｔ．モーティマーによる「過渡的脱分極による電流−距離関係の反転（Ｉｎｖｅｒｓｉｏｎ  ｏｆ  ｔｈｅ  ｃｕｒｒｅｎｔ−ｄｉｓｔａｎｃｅ  ｒｅｌａｔｉｏｎｓｈｉｐ  ｂｙ  ｔｒａｎｓｉｅｎｔ  ｄｅｐｏｌａｒｚａｔｉｏｎ）」、（発明者テスターマン（Ｔｅｓｔｅｒｍａｎ）らによる）（「カフ電極」という名称の）米国特許第５，３４４，４３８号明細書（１９９４年９月６日付けで発行）、（発明者グリル（Ｇｒｉｌｌ）らによる）（「選択的な生理学的応答を実現するため陰部神経又はその枝内部、その上又はその周囲にて要素を選択的に刺激するシステム及び方法（Ｓｙｓｔｅｍｓ  ａｎｄ  Ｍｅｔｈｏｄｓ  ｆｏｒ  Ｓｅｌｅｃｔｉｖｅｌｙ  Ｓｔｉｍｕｌａｔｉｎｇ  Ｃｏｍｐｏｎｅｎｔｓ  ｉｎ，ｏｎ，ｏｒ  ｎｅａｒ  ｔｈｅ  Ｐｕｄｅｎｄａｌ  Ｎｅｒｖｅ  ｏｒ  Ｉｔｓ  Ｂｒａｎｃｈｅｓ  ｔｏ  Ａｃｈｉｅｖｅ  Ｓｅｌｅｃｔｉｖｅ  Ｐｈｙｓｉｏｌｏｇｉｃ  Ｒｅｓｐｏｎｓｅｓ」という名称の）米国特許第６，９０７，２９３号明細書（２００５年６月１４日付けで発行）を参照されたい。参考としてこれら各々の内容は、本明細書に含められている。一般的な用語にて、選択的な刺激は、１つ以上の神経５２の非選択的な刺激の結果、不適切なタイミングとなり又はその他の飲み込み段階に干渉することとなる場合に有益である。例えば、選択的な神経束刺激無しにて舌下神経を刺激する結果、さもなければ、飲み込みの口内段階と干渉することになるであろう茎突舌筋及び舌の内在筋が早期に起動されることになる。
【００７２】
しかし、幾つかの実施の形態において、第一及び第二の電極２６ａ、２６ｂの各々は、神経を選択的に刺激することを許容し得るようにされており且つ、神経５２の１つ、従って、嚥下筋肉５４の１つ以上と刺激連通する状態に配置される。幾つかの実施の形態において、第一の電極２６ａは、例えば、舌下神経である第一の神経５２ａの回りに配設される。一方、第二の電極２６ｂは、例えば、顎舌骨筋神経である第二の神経５２ｂの回りに配設される。特に、第一の電極２６ａは、第一の神経５２ａの神経束６０に対し刺激エネルギを送出し、オトガイ舌骨、舌骨舌筋、甲状舌骨、肩甲舌骨、胸骨甲状腺、胸骨舌骨、オトガイ舌筋及び茎突舌筋の１つ以上を刺激するすなわち別言すれば、起動させるよう第一の神経５２ａ上に配置される。一方、第二の電極２６ｂは、第二の神経５２ａの神経束６２に刺激エネルギを送出し、例えば、顎舌骨筋及び顎二腹筋の１つ以上を刺激するすなわち別言すれば、起動させるよう第二の神経５２ｂ上に配置される。特に、幾つかの実施の形態は、第一の神経５２ａの神経束を選択的に刺激することにより舌骨舌筋、オトガイ舌筋及び甲状舌骨筋の１つ以上を選択的に刺激状態にて起動し、また、第二の神経５２ｂの神経束を選択的に刺激することにより１つ以上の顎舌骨筋及び顎二腹筋の前腹を選択的に刺激することを含む。
【００７３】
両側方刺激が望まれる幾つかの実施の形態において、第三及び第四の電極２６ｃ、２６ｄは、例えば、第一及び第二の神経５２ａ、５２ｂと対向して第二の舌下神経及び顎舌骨筋神経と連通する状態にてユーザ９０の反対側に配置される。第三及び第四の電極２６ｃ、２６ｄは、形態及び作用の点にて、第一及び第二の電極２６ａ、２６ｂと選択的に実質的に同様であり、このため、更なる説明は省かれている。
【００７４】
しかし、選択的な刺激が望まれる場合、コントローラ２２は、第一の神経５２ａの神経束６０及び（又は）第二の神経５２ｂの神経束６２のような、神経５２の１つ以上の神経束を電極アレー２６にて選択的に刺激すべく信号発生器２４を作動させ得るようにされている。幾つかの実施の形態は、第一の神経５２ａの第一の神経束６０ａを選択的に刺激し、また、第一の神経５２ａの第二の神経束６０ｂを選択的に刺激し、第一の神経５２ａの第三の神経束６０ｃを選択的に刺激することを含み、この場合、第一、第二及び第三の神経束６０ａ−６０ｃの各々は、その他以外の嚥下筋肉の起動を制御する。同様に、実施の形態は、第二の神経５２ｂの第一の神経束６２ａを選択的に刺激し、また、第二の神経５２ｂの第二の神経束６２ｂを選択的に刺激することを含み、第一の神経束６２ａは、第二の神経束６２ｂ以外の嚥下筋肉等の起動を制御し、以後も同様である。
【００７５】
選択的な神経束の刺激を実現するため、幾つかの実施の形態は、第一及び（又は）第二の電極２６ａ、２６ｂを使用してしきい値以下、方形電流パルス又は電流ランプを送出して第一及び（又は）第二の神経５２ａ、５２ｂの神経線維を部分的に分極させるべく信号発生器２４を使用することを含む。本明細書にて使用したように、「しきい値以下」という語は、完全な筋肉の起動となる刺激量が不十分であることを示す。更に、参考として及び簡単に、神経５２の刺激は全体として、強度対距離の関係により特徴付けられ、この場合、例えば、電極アレー２６から送出された電流パルスのような、刺激エネルギ源に近い神経束は、最初に且つ（又は）より大きい程度、刺激される。しきい値以下、方形電流パルス又は傾斜を使用することにより、強度対距離の関係は、選択随意的に逆とし、神経束は、相応する神経を部分的に分極することにより選択的に刺激することができる。換言すれば、システム２０は、より近い神経束グループよりも刺激電極から遠方の神経束又は神経束グループを選択的に、また、より近い神経束グループの前に、神経を分極することにより、刺激するような構成とすることができる。
【００７６】
更に又はこれと代替的に、上述した強度対距離の関係は、電極接点を１つ以上の神経５２上の色々な位置に又はその神経の回りに配置することにより、幾つかの実施の形態にて利点を得ることができる。例えば、１００μｓの方形電流パルスのような、標準的な電流パルスを１つ以上の神経５２上の特定の位置まで送出することにより、特定の接点に最も近い神経束は、最初に又は１つ以上の嚥下筋肉５４が筋肉起動される結果となるのに十分な程度に刺激される。このように、刺激すべき神経束グループにより近接した神経の回りの色々な位置に接点を配置することによっても選択性は選択随意的に実現される。
【００７７】
神経束の選択的な刺激を実現する、更に別の非限定的な手段として、電流操縦技術が選択随意的に採用される。幾つかの実施の形態において、第一及び第二の電極２６ａ、２６ｂは、上述した神経カフ電極４０（図３）の実施の形態と実質的に同様であり、幾つかの実施の形態にて双極接点とすることが考えられるが、第一及び第二の電極２６ａ、２６ｂの各々は、例えば、電極当たり４つの単極接点のような、半径方向に配置された複数の単極接点を含む。信号発生器２４は、多数のチャネル上にて作用し半径方向に配置された接点の各々に対し異なる量の刺激エネルギを送出する構成とされている。特に、しきい値以下の操縦電流は、異なる振幅にて、例えば、第一の神経５２ａのような神経の回りに印加されて、所望に応じて神経に印加される電界の形状を決める。しきい値以下の操縦電流は、必ずしも神経を刺激することにはならない。特に、幾つかの実施の形態において、操縦電流は、神経５２の１つ、例えば、第一の神経５２ａの１つの回りに印加されて、第一の電極２６ａ又は別の電極にて発生された別の刺激パルス又は一連のパルスを所望の神経の起動領域に導かれる。換言すれば、操縦電流は、追加的な１つ又は複数の刺激電流パルスを選んだ神経束又は神経束グループに導くため使用される。
【００７８】
更に、刺激パターン波形は、神経５２の神経束を選択的に刺激するための能力を向上させるよう選択随意的に選ばれる。例えば、短時間の電流パルスは、異なる直径の神経線維間の増大する刺激しきい値の差として特定される。神経束の選択的な励起／刺激を実現する幾つかの機構について上記に説明したが、神経／神経束の電気的ブロックを含む、その他の機構とすることも考えられることを理解すべきである。
【００７９】
幾つかのその他の実施の形態において、第一及び第二の電極２６ａ、２６ｂは、所望の嚥下筋肉組織を起動させるため、神経束を選択的に刺激することが要求されない位置にて神経５２に沿って配置される。
【００８０】
特に、第一及び第二の電極２６ａ、２６ｂは、選択随意的に、神経幹ではなく、神経枝に沿って、例えば、１つ以上の嚥下筋肉５４に十分に近接して、舌下神経の周縁枝に沿って配置され、神経束を選択的に刺激することなく、所望の組の嚥下筋肉５４の起動の所望のタイミングが実現されるようにする。このように、電極アレー２６は、神経束を選択的に刺激することなく嚥下筋肉組織の刺激を実行するため、複数の神経に沿って且つこの複数の神経と刺激連通する状態に配設された複数の電極を更に又は代替的に含む。
システムのフィードバック
図１及び図６を参照し且つ、センサアレー２８を再度参照すると、幾つかの実施の形態において、センサアレー２８は、システムフィードバックと共に作用するシステム２０の手段を提供する。例えば、上述した刺激プログラムは、コントローラ２２が受け取ったセンサの入力情報に従って選択随意的に開始され、変更しすなわち別言すれば適応し得るようにされている。色々なセンサ及びそれらの使用について以下に説明する。例えば、幾つかの実施の形態において、センサアレー２８は、ＥＭＧフィードバックをシステム２０に提供し得るよう、例えば、皮下的に且つ（又は）筋肉内の構成とされ且つ配置されたセンサを含む。かかるＥＭＧフィードバックは、ＥＭＧフィードバックを介して測定した所定の最適な筋肉起動パターンとなるように刺激プログラムを駆動すべく選択随意的に使用される。
【００８１】
幾つかの実施の形態において、センサアレー２８は、力の情報をコントローラ２２に提供する、歪み計のような１つ以上の力センサを含む。幾つかの適用例に従って、１つ以上の歪み計が１つ以上の嚥下筋肉５４に装着されて、筋肉起動の色々な段階の間、力の情報を提供する。例えば、幾つかの実施の形態において、第一のセンサ２８ａは、歪み計であり且つ、ＵＥＳ７６に装着されて、ＵＥＳ７６に加えられた開放力に関する情報を提供する。かかる力の情報は、システム２０により、特に、コントローラ２２により選択的に使用されて、刺激プログラムを最適化するすなわち、別言すれば、システムのフィードバック情報を提供して嚥下筋肉の刺激を変更する。
【００８２】
更にその他の実施の形態において、センサアレー２８は、加速度、速度又は位置のような情報を提供する加速度計のような１つ以上の位置センサを含む。幾つかの実施の形態において、第一のセンサ２８ａは、頭部の位置情報を提供する３軸加速度計であり、この第一のセンサは、顎、例えば、オトガイ隆起１１０に対して選択随意的に固定される。図５Ａを更に参照すると、一方、第二のセンサ２８ｂは、ユーザ９０の舌骨・喉頭器官系６４の一部分のような、１つ以上の嚥下構成要素５０に対し固定された３軸加速度計である。例えば、第二のセンサ２８ｂは、甲状軟骨のような、舌骨７０又はその他の喉頭軟骨に対して選択的に固定される。幾つかの実施の形態において、第二のセンサ２８ｂは、喉頭器官系６４又はその要素の前方−後方及び先頭−尾側軸線ＨＡＰ、ＨＡＲに対して平行に選択随意的に向き決めされる。更に、第三のセンサ２８ｃは、選択随意的に、植え込み型ハウジング３２に対して固定された３軸加速度計である。
【００８３】
幾つかの実施の形態において、ユーザ９０の全体的な身体位置の情報は、センサアレー２８、特に、第三のセンサ２８ｃにより提供される。ユーザ９０の胸部に対する舌骨・喉頭器官系６４又はその要素の動きは、第二及び第三のセンサ２８ｂ、２８ｃからの組み合わさった位置情報を使用して提供される。次に、舌骨・喉頭器官系６４又はその一部分のような、嚥下構造体５４の所望の相対的な動きに対して、システム２０による嚥下刺激を最適化するため、胸部及び舌骨・喉頭器官系６４の相対的な位置に関する情報を使用することができる。一方、首の曲げ情報は、顎に対して固定されたセンサ２８ａ及び喉頭器官系６４又はその一部分に対して固定された第二のセンサ２８ｂからの組み合わさった位置情報を使用して選択随意的に提供される。このようにして、システム２０は、嚥下刺激の間、首の曲がりを補償する。更に又はこれと代替的に、幾つかの実施の形態において、センサアレー２８は、ユーザ９０が傾斜した状態にあるかどうかに関する情報を提供し、例えば、ユーザの分泌維持プログラムを選ぶべき又はランプ位置に対する飲み込みを最適化すべきかを決定することができる。
【００８４】
上述したように、位置情報を組み合わせて利用することが考えられるが、３軸加速度計のような、単一の位置センサからの組み合わされない位置情報もまた、選択随意的に、システム２０による嚥下刺激を最適化するすなわち別言すれば変更すべく使用される。幾つかの実施の形態において、舌骨・喉頭器官系６４が十分に持ち上げられ且つ前方に動いているかどうかに関する情報は、ユーザ９０の身体の標準的な向きを取る箇所にて得られ、また、上述したように、例えば、３軸加速度計の１つのような、加速度計は、例えば、舌骨・喉頭器官系６４又はその要素の前方−後方及び首側−尾側軸線ＨＡＰ、ＨＡＲに対して平行に向き決めされる。
【００８５】
更にその他の実施の形態において、センサアレー２８は、例えば、咽頭内圧力を測定するセンサのような、１つ以上の圧力センサを含む。例えば、咽頭内圧力は、有効な嚥下刺激及び（又は）人工的な応答のインジケータとして選択随意的に測定される。
【００８６】
図１、図５Ａ及び図６間を参照すると、幾つかの実施の形態において、センサアレー２８は、結晶間の距離を測定するため、超音波計測及び生成する結晶を含む音波マイクロメータ（図示せず）のような、変位情報を提供する１つ以上の変位センサを代替的に又は更に含む。第一、第二及び第三のセンサ２８ａ−２８ｃの１つ以上は、選択随意的に、舌骨・喉頭器官系６４の１つ以上の要素に装着された半導体である。幾つかの実施の形態において、センサ２８ａ−２８ｃは、１つ以上の嚥下筋肉５４の長さに関する変位情報を提供すべく使用される。特に、色々な嚥下構造体５６の変位は、かかる全体的な筋肉の長さ情報を使用して、誘導するすなわち別言すれば、推定することができる。更に、又はこれと代替的に、かかる変位センサは、上述したように、位置センサに対すると実質的に同様の仕方にて使用し、刺激プログラムを最適化するすなわち別言すれば変更する。例えば舌骨７０、顎、及び（又は）甲状軟骨を含む舌骨・喉頭器官系６４の相対的位置は、嚥下刺激を調節するためセンサアレー２８により選択随意的に提供される。幾つかの実施の形態において、甲状腺−舌骨ギャップは、甲状舌骨筋の刺激が甲状腺−舌骨ギャップに比例的に付与された状態にて変位センサを使用して決定される。
【００８７】
要するに、また、本文の説明、図面及び特許請求によって提供される理解に従い、嚥下を助けるシステム及び嚥下を助けるシステムの製造方法及び使用方法について開示し、教示し且つ提案し、かかるシステム及び方法は、吸入が減少した状態の嚥下を提供するのを助けるといったような、多様な目的を果たすことができる。少なくとも人間又はその他の動物に対して使用するため適用可能であり、また、部分的に又は完全に外部のすなわち非植え込み式システム、並びに完全に植え込んだすなわち内部システムの何れかとして使用可能である。本発明は、色々な実施の形態に関して説明したが、当該技術の当業者は、本発明の思想及び範囲から逸脱せずに、形態及び細部の点にて変更可能であることが認識されよう。例えば、本明細書にて嚥下に関係したシステム及び方法について説明したが、本発明の原理は、例えば、会話、呼吸又はその他の型式の身体の動きのような、その他の筋肉の刺激領域に適用可能であることも理解すべきである。
【図１】
2010512843.tif 000003
【図２】
2010512843.tif 000004
【図３】
2010512843.tif 000005
【図４】
2010512843.tif 000006
【図５Ａ】
2010512843.tif 000007
【図５Ｂ】
2010512843.tif 000008
【図６】
2010512843.tif 000009
【図７】
2010512843.tif 000010
【図８】
2010512843.tif 000011
【国際調査報告】
2010512843.tif 000012
2010512843.tif 000013
2010512843.tif 000014